(57)【要約】【課題】各種電子機器の遠隔操作に用いられるリモコン送信機、及びこれを用いた送受信装置に関し、簡易な操作で、多様な操作の可能なものを提供することを目的とする。【解決手段】略円盤状または略リング状の操作体１３の下方に、所定の間隙を空けて対向する略リング状の抵抗体１５と導電体１６を配置し、操作体１３の操作によって抵抗体１５と導電体１６の所定箇所を接触させると共に、制御手段１７がこの押圧位置を検出し、送信手段１８が押圧位置に応じたリモコン信号を送信することによって、複数の接触箇所を持つ略リング状の抵抗体１５と導電体１６でスイッチ接点を構成されているため、構成部品数が少なく簡易な操作で、多様な操作の可能なものを得ることができる。【選択図】図１
2005045576.tif 000002
【特許請求の範囲】
【請求項１】
略円盤状または略リング状の操作体と、この操作体の下方に配置された略リング状の抵抗体と、この抵抗体と所定の間隙を空けて対向する略リング状の導電体と、上記抵抗体及び上記導電体に接続され所定の電気信号を出力する制御手段と、この電気信号によってリモコン信号を送信する送信手段からなり、上記操作体の操作によって上記抵抗体と上記導電体の所定箇所が接触すると共に、上記制御手段がこの押圧位置を検出し、上記送信手段が押圧位置に応じたリモコン信号を送信するリモコン送信機。
【請求項２】
操作体の中央部に押圧体を配置した請求項１記載のリモコン送信機。
【請求項３】
請求項１記載のリモコン送信機と、受信手段と表示手段を備えた受信機からなり、操作体の操作によって上記リモコン送信機からリモコン信号を送信し、これを上記受信機の受信手段が受信して表示手段を制御する送受信装置。
【発明の詳細な説明】
【技術分野】
【０００１】
本発明は、テレビやビデオ、エアコン等の各種電子機器の遠隔操作に用いられるリモコン送信機、及びこれを用いた送受信装置に関するものである。
【背景技術】
【０００２】
近年、テレビやビデオ、エアコン等の各種電子機器の高機能化・多様化が進むなか、これらを遠隔操作するリモコン送信機においても、簡単な操作で複雑かつ多様な操作の可能なものが求められている。
【０００３】
このような従来のリモコン送信機について、図４を用いて説明する。
【０００４】
図４は従来のリモコン送信機の斜視図であり、同図において、１は絶縁樹脂製の筐体、２Ａや２Ｂは同じく絶縁樹脂製の操作キーで、筐体１上面から操作キー２Ａや２Ｂ上部が上下動可能に突出している。
【０００５】
また、筐体１内には上下面に複数の導電パターンが形成された配線基板（図示せず）が収納されると共に、この配線基板上面には、操作キー２Ａや２Ｂ等の押圧操作によって電気的接離を行う複数のスイッチ接点（図示せず）が形成されている。
【０００６】
さらに、この配線基板にはマイコンや発光ダイオード等の電子部品（図示せず）が実装され、複数のスイッチ接点に接続されて所定の電気信号を出力する制御手段３や、この電気信号によってリモコン信号を送信する送信手段４が形成されて、リモコン送信機が構成されている。
【０００７】
以上の構成において、このリモコン送信機をテレビやビデオ等の電子機器に向け、複数の操作キー２Ａの、例えば選局用や音量切換用等のキーを押圧操作すると、この押圧された操作キー下方のスイッチ接点が電気的接離を行い、制御手段３がこの押圧された操作キーを検出して、これに対応した赤外線のリモコン信号が送信手段４から電子機器へ送信される。
【０００８】
そして、このリモコン信号を機器の受信手段（図示せず）が受信することによって、電子機器の受信局の切換や音量の増減等が行われる。
【０００９】
また、電子機器のブラウン管や液晶表示素子等の表示手段（図示せず）に、例えば、画質等の複数のメニューが表示された状態で、複数の操作キー２Ｂの一つを押圧操作すると、表示手段に表示されたカーソル（図示せず）等が、押圧された操作キーに対応した方向へ移動して、メニューの選択や決定が行われ、画質調整等が遠隔操作されるように構成されているものであった。
【００１０】
なお、この出願の発明に関連する先行技術文献情報としては、例えば、特許文献１が知られている。
【特許文献１】特開２００１−３２０７８９号公報
【発明の開示】
【発明が解決しようとする課題】
【００１１】
しかしながら、上記従来のリモコン送信機においては、電子機器の高機能化・多様化に対応した遠隔操作を行うためには、様々な機能に合わせ形状や表示の異なる多数の操作キーを配置する必要があるうえ、これに対応した多数のスイッチ接点が必要となるため、構成部品数が増えると共に、操作も複雑なものになってしまうという課題があった。
【００１２】
本発明は、このような従来の課題を解決するものであり、簡易な操作で、かつ多様な操作の可能なリモコン送信機、及びこれを用いた送受信装置を提供することを目的とする。
【課題を解決するための手段】
【００１３】
上記目的を達成するために本発明は、以下の構成を有するものである。
【００１４】
本発明の請求項１に記載の発明は、略円盤状または略リング状の操作体の下方に、所定の間隙を空けて対向する略リング状の抵抗体と導電体を配置し、操作体の操作によって抵抗体と導電体の所定箇所を接触させると共に、制御手段がこの押圧位置を検出し、送信手段が押圧位置に応じたリモコン信号を送信するようにしてリモコン送信機を構成したものであり、複数の接触箇所を持つ略リング状の抵抗体と導電体でスイッチ接点を構成することによって、構成部品数が少なく簡易な操作で、多様な操作の可能なリモコン送信機を得ることができるという作用を有する。
【００１５】
請求項２に記載の発明は、請求項１記載の発明において、操作体の中央部に押圧体を配置したものであり、例えばメニューの選択は略円盤状または略リング状の操作体で行い、決定は押圧体で行う等、形態の異なる操作によって、リモコン送信機を操作の行い易いものとすることができるという作用を有する。
【００１６】
請求項３に記載の発明は、請求項１記載のリモコン送信機の操作によってリモコン信号を送信し、これを受信機の受信手段が受信して表示手段を制御するようにして送受信装置を構成したものであり、簡易な操作で、多様な操作の可能な送受信装置を実現することができるという作用を有する。
【発明の効果】
【００１７】
以上のように本発明によれば、簡易な操作で、多様な操作の可能なリモコン送信機、及びこれを用いた送受信装置を得ることができるという有利な効果が得られる。
【発明を実施するための最良の形態】
【００１８】
以下、本発明の実施の形態について、図１〜図３を用いて説明する。
【００１９】
（実施の形態）
図１は本発明の一実施の形態によるリモコン送信機の構成図、図２は同斜視図であり、同図において、１１は絶縁樹脂製の筐体、１２Ａや１２Ｂは同じく絶縁樹脂製の操作キーで、操作キー１２Ａや１２Ｂ上部が筐体１１上面から上下動可能に突出している。
【００２０】
また、１３は絶縁樹脂製で略リング状の操作体、１４は同じく絶縁樹脂製の押圧体で、操作体１３が筐体１１上面に揺動可能に装着されると共に、押圧体１４は操作体１３中央部に上下動可能に装着されている。
【００２１】
そして、１５はカーボン等の略リング状の抵抗体で、ポリエチレンテレフタレート等のフィルムシート（図示せず）下面に形成されて、操作体１３の下方に配置されている。
【００２２】
また、筐体１１内には上下面に複数の導電パターンが形成された配線基板（図示せず）が収納されると共に、この配線基板上面には、操作キー１２Ａや１２Ｂ、或いは押圧体１４等の押圧操作によって電気的接離を行う複数のスイッチ接点（図示せず）が形成されると共に、操作体１３下方には、抵抗体１５と所定の間隙を空けて対向する略リング状で銅合金等の導電体１６が形成されている。
【００２３】
さらに、この配線基板にはマイコンや発光ダイオード等の電子部品（図示せず）が実装され、複数のスイッチ接点や抵抗体１５、導電体１６に接続されて所定の電気信号を出力する制御手段１７や、この電気信号によってリモコン信号を送信する送信手段１８が形成されて、リモコン送信機２０が構成されている。
【００２４】
なお、抵抗体１５は、図１に示すように、Ｘ方向の一対の外周部１５Ａ、１５Ｂと、これと直交するＹ方向の一対の外周部１５Ｃ、１５Ｄが各々制御手段１７に接続されている。
【００２５】
そして、図３の斜視図に示すように、このように構成されたリモコン送信機２０と、テレビ等の電子機器２１に内蔵され、受信手段２２とブラウン管や液晶表示素子等の表示手段２３を備えた受信機２４によって、送受信装置が構成される。
【００２６】
以上の構成において、略リング状の操作体１３の所定位置、例えば、左上面のチャンネル９等を押圧操作すると、操作体１３が揺動し、この下面が抵抗体１５を押圧して、抵抗体１５が導電体１６に接触する。
【００２７】
この時、制御手段１７は、先ず抵抗体１５のＸ方向の外周部１５Ａと１５Ｂに電圧を印加し、導電体１６からの出力電圧によって、Ｘ方向の押圧位置を検出し、次にＹ方向の外周部１５Ｃと１５Ｄに電圧を印加して、Ｙ方向の押圧位置を検出することによって、操作体１３の押圧位置が左上面であることを検出する。
【００２８】
続いて、制御手段１７からチャンネル９の電気信号が送信手段１８へ出力され、送信手段１８からは押圧位置に応じたチャンネル９のリモコン信号が、電子機器２１に向けて送信される。
【００２９】
そして、このリモコン信号を受信機２４の受信手段２２が受信することによって、電子機器２１の受信局がチャンネル９に切換えられる。
【００３０】
また、電子機器２１の表示手段２３に、例えば、番組表や天気予報等のメニューが表示された状態では、操作キー１２Ｂ等を押圧操作して操作体１３の機能を切換えた後、操作体１３の所定位置を押圧操作すると、同様にして操作体１３が揺動し、抵抗体１５が導電体１６に接触して、送信手段１８から押圧位置に応じたリモコン信号が送信される。
【００３１】
これによって、表示手段２３に表示されたカーソル（図示せず）等が、複数のメニュー上を押圧された方向へ移動して、メニューの選択が行われる。
【００３２】
そして、カーソルが所望のメニュー上に移動した状態で、操作体１３中央部の押圧体１４を押圧操作すると、これを制御手段１７が検出し、送信手段１８からリモコン信号が送信されて、例えば、メニューの決定が行われる。
【００３３】
つまり、いずれの方向へも揺動可能な操作体１３を押圧操作し、抵抗体１５と導電体１６の所定位置を接触させて、選局やメニューの選択等を行うことによって、多くの操作キーがなくとも、操作体１３のみで様々な機能の遠隔操作が行えるように構成されている。
【００３４】
このように本実施の形態によれば、略リング状で揺動可能な操作体１３の押圧操作により、複数の接触箇所を持つ抵抗体１５と導電体１６の所定位置を接触させ、このリモコン信号で機器を遠隔操作することによって、構成部品数が少なく簡易な操作で、多様な操作の可能なリモコン送信機、及びこれを用いた送受信装置を得ることができるものである。
【００３５】
また、操作体１３の中央部に押圧体１４を配置することによって、メニューの選択は略リング状の操作体１３で行い、決定は押圧体１４で行う等、形態の異なる操作によって、リモコン送信機を操作の行い易いものとすることができる。
【００３６】
なお、以上の説明では、略リング状の操作体１３上面の所定位置を押圧操作し、都度リモコン信号を送信する構成として説明したが、操作体１３上面から指等を離さず外周をなぞるようにして、操作体１３を連続して揺動させ、このなぞった距離だけカーソル等を移動させる構成としても、本発明の実施は可能である。
【００３７】
また、操作体１３を略リング状とし、中央部に押圧体１４を配置した構成としたが、操作体１３を略円盤状とし、この操作体１３でメニューの選択を行い、決定は操作キー１２Ａ等を押圧操作して行うようにしてもよい。
【００３８】
さらに、抵抗体１５と導電体１６を逆にし、上方に導電体１６、下方に抵抗体１５を配置した構成としてもよい。
【産業上の利用可能性】
【００３９】
本発明によるリモコン送信機及びこれを用いた送受信装置は、簡易な操作で、多様な操作が可能であるという効果を有し、テレビやビデオ、エアコン等の各種電子機器の遠隔操作等に有用である。
【図面の簡単な説明】
【００４０】
【図１】本発明の一実施の形態によるリモコン送信機の構成図
【図２】同斜視図
【図３】同送受信装置の斜視図
【図４】従来のリモコン送信機の斜視図
【符号の説明】
【００４１】
１１  筐体
１２Ａ、１２Ｂ  操作キー
１３  操作体
１４  押圧体
１５  抵抗体
１５Ａ、１５Ｂ、１５Ｃ、１５Ｄ  外周部
１６  導電体
１７  制御手段
１８  送信手段
２０  リモコン送信機
２１  電子機器
２２  受信手段
２３  表示手段
【図１】
2005045576.tif 000003
【図２】
2005045576.tif 000004
【図３】
2005045576.tif 000005
【図４】
2005045576.tif 000006